(57)【特許請求の範囲】
【請求項１】
処理物の投入口と、脱水された前記処理物の排出口とを設けた本体と、
前記投入口と前記排出口との間に設けられた分割可能な円筒形状のスクリーンと、
このスクリーン内に設けられたスクリュー羽根を有したスクリュー回転軸と、
前記スクリーンを水平方向に移動自在に支持する支持部材とを備え、
前記スクリーンは、第１の半割スクリーンと第２の半割スクリーンとに分割可能であり、
前記第１の半割スクリーンには、第１のガイドを設けた第１の接続部材を有し、
前記第２の半割スクリーンには、第２のガイドを設けた第２の接続部材を有し、
前記第１の半割スクリーンは、前記第１の接続部材の前記第１のガイドを介して前記支持部材に接続され、
前記第２の半割スクリーンは、前記第２の接続部材の前記第２のガイドを介して前記支持部材に接続され、
洗浄時、前記円筒形状のスクリーンを前記第１の半割スクリーンと前記第２の半割スクリーンに分割し、分割した後、前記支持部材に接続された前記第１の半割スクリーン及び前記第２の半割スクリーンを互いに異なる方向へ移動させて前記スクリュー羽根から離間させ、前記第１の半割スクリーンと前記第２の半割スクリーンを液体を使用して分割された前記スクリーンを洗浄するものであり、
洗浄でないスクリュー脱水機の運転時、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続されている
ことを特徴とするスクリュー脱水機の洗浄方法。
【請求項２】
処理物の投入口と、脱水された前記処理物の排出口とを設けた本体と、
前記投入口と前記排出口との間に設けられた分割可能な円筒形状のスクリーンと、
このスクリーン内に設けられたスクリュー羽根を有したスクリュー回転軸と、
前記スクリーンを水平方向に移動自在に支持する支持部材とを備え、
前記スクリーンは、第１の半割スクリーンと第２の半割スクリーンとに分割可能であり、
前記第１の半割スクリーンには、第１のガイドを設けた第１の接続部材を有し、
前記第２の半割スクリーンには、第２のガイドを設けた第２の接続部材を有し、
前記第１の半割スクリーンは、前記第１の接続部材の前記第１のガイドを介して前記支持部材に接続され、
前記第２の半割スクリーンは、前記第２の接続部材の前記第２のガイドを介して前記支持部材に接続され、
洗浄でないスクリュー脱水機の運転時、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続され、
前記スクリーンの洗浄時、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続され、前記第１の半割スクリーン及び前記第２の半割スクリーンは、前記スクリュー羽根から離間している
ことを特徴とするスクリュー脱水機。
【発明の詳細な説明】
【技術分野】
【０００１】
本発明は、スクリュー脱水機の洗浄方法及びスクリュー脱水機に係り、特に、スクリーンの内部に残存した処理物の除去を容易にしたスクリュー脱水機の洗浄方法及びスクリュー脱水機に関する。
【背景技術】
【０００２】
従来、スクリーンとこのスクリーンの内部に設けたスクリュー羽根との間の容積を縮小して処理物を加圧しながら脱水を行うスクリュー脱水機がある。このスクリュー脱水機にあっては、運転終了後、水をかけて、スクリュー脱水機の内外を掃除するようにしている。
【発明の概要】
【発明が解決しようとする課題】
【０００３】
ところが、上記スクリュー脱水機にあっては、水で清掃しても、スクリーンの内部の処理物に時間がかかると共に、スクリーンの内部に残存した++++処理物を容易に除去できないという問題点が生じた。
【０００４】
本発明は、前記問題点を考慮したなされたスクリュー脱水機の洗浄方法及びスクリュー脱水機を提供することを目的とする。
【課題を解決するための手段】
【０００５】
請求項１記載のスクリュー脱水機の洗浄方法は、処理物の投入口と、脱水された前記処理物の排出口とを設けた本体と、前記投入口と前記排出口との間に設けられた分割可能な円筒形状のスクリーンと、このスクリーン内に設けられたスクリュー羽根を有したスクリュー回転軸と、前記スクリーンを水平方向に移動自在に支持する支持部材とを備え、前記スクリーンは、第１の半割スクリーンと第２の半割スクリーンとに分割可能であり、前記第１の半割スクリーンには、第１のガイドを設けた第１の接続部材を有し、前記第２の半割スクリーンには、第２のガイドを設けた第２の接続部材を有し、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続され、洗浄時、前記円筒形状のスクリーンを前記第１の半割スクリーンと前記第２の半割スクリーンに分割し、分割した後、前記支持部材に接続された前記第１の半割スクリーン及び前記第２の半割スクリーンを互いに異なる方向へ移動させて前記スクリュー羽根から離間させ、前記第１の半割スクリーンと前記第２の半割スクリーンを液体を使用して分割された前記スクリーンを洗浄するものであり、洗浄でないスクリュー脱水機の運転時、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続されているものである。
【０００７】
また、請求項２記載のスクリュー脱水機は、処理物の投入口と、脱水された前記処理物の排出口とを設けた本体と、前記投入口と前記排出口との間に設けられた分割可能な円筒形状のスクリーンと、このスクリーン内に設けられたスクリュー羽根を有したスクリュー回転軸と、前記スクリーンを水平方向に移動自在に支持する支持部材とを備え、前記スクリーンは、第１の半割スクリーンと第２の半割スクリーンとに分割可能であり、前記第１の半割スクリーンには、第１のガイドを設けた第１の接続部材を有し、前記第２の半割スクリーンには、第２のガイドを設けた第２の接続部材を有し、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続され、洗浄でないスクリュー脱水機の運転時、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続され、前記スクリーンの洗浄時、前記第１の半割スクリーンは、前記第１の接続部材の前記第１のガイドを介して前記支持部材に接続され、前記第２の半割スクリーンは、前記第２の接続部材の前記第２のガイドを介して前記支持部材に接続され、前記第１の半割スクリーン及び前記第２の半割スクリーンは、前記スクリュー羽根から離間しているものである。
【発明の効果】
【０００９】
請求項１記載のスクリュー脱水機の洗浄方法によれば、第１の半割スクリーンは、第１の接続部材を介して支持部材に接続され、第２の半割スクリーンは、第２の接続部材を介して前記支持部材に接続され、液体による洗浄時、円筒形状のスクリーンを前記第１の半割スクリーンと前記第２の半割スクリーンに分割し、分割した後、前記第１の半割スクリーンと前記第２の半割スクリーンを洗浄するため、従来のスクリュー脱水機の洗浄方法に比べ、スクリーンの内部に残存した処理物を容易に除去することができると共に、スクリーンの内部に残存した処理物を容易に除去する分、清掃時間を短縮することができる。
【００１１】
また、請求項２記載のスクリュー脱水機は、処理物の投入口と、脱水された前記処理物の排出口とを設けた本体と、前記投入口と前記排出口との間に設けられた分割可能な円筒形状のスクリーンと、このスクリーン内に設けられたスクリュー羽根を有したスクリュー回転軸と、前記スクリーンを水平方向に移動自在に支持する支持部材とを備え、前記スクリーンは、第１の半割スクリーンと第２の半割スクリーンとに分割可能であり、前記第１の半割スクリーンは、第１の接続部材を介して前記支持部材に接続され、前記第２の半割スクリーンは、第２の接続部材を介して前記支持部材に接続されているものである。
【図面の簡単な説明】
【００１３】
【図１】図１は、本発明の一実施例のスクリュー脱水機の一使用形態を示す概略的断面図である。
【図２】図２は、図１のスクリュー脱水機の概略的側断面図である。
【図３】図３は、図２のスクリーンを分離した状態の概略的側断面図である。
【図４】図４は、図３のスクリーンを分離した状態の概略的斜視図である。
【発明を実施するための形態】
【００１４】
本発明の一実施例のスクリュー脱水機及びスクリュー脱水方法を図面（図１乃至図４）を参照して説明する。
【００１５】
図１に示すＳはスクリュー脱水機で、スクリュー脱水機Ｓは、処理物の投入口１１と、脱水された前記処理物の排出口１２とを設けた本体１と、投入口１１と排出口１２との間に設けられた分割可能な円筒形状のスクリーン２と、このスクリーン２内に設けられたスクリュー羽根３１を有したスクリュー回転軸３と、スクリーン２を水平方向に移動自在（摺動自在）に支持する支持部材４とを備えている。
【００１６】
スクリュー脱水機Ｓは、周知のもので、スクリーン２とこのスクリーン２の内部に設けたスクリュー羽根３１との間の容積を、脱水出口の抵抗体に向かって縮小して処理物を加圧しながら脱水を行うものである。
処理物は、例えば、もやし、カット野菜、お茶、白菜等の食品残渣の他、水分が付着
したプラスチック等である。
【００１７】
スクリーン２は、図４に示すように、第１の半割スクリーン２１と第２の半割スクリーン２２とに分割可能であり、第１の半割スクリーン２１は、第１の接続部材５１を介して支持部材４に接続され、第２の半割スクリーン２２は、第２の接続部材５２を介して支持部材４に接続されている。
第１の接続部材５１の図示しないボルト穴に図示しないボルトを通し、第２の接続部材５２の図示しない雌ネジを螺合して、第１の半割スクリーン２１と第２の半割スクリーン２２とを結合することができる。
【００１８】
スクリュー脱水機Ｓにあっては、運転終了後、液体、例えば、水をかけて、スクリュー脱水機Ｓの内外を掃除するようにしている。
即ち、洗浄時、円筒形状のスクリーン２の第１の半割スクリーン２１と第２の半割スクリーン２２との結合を解除して、第１の半割スクリーン２１と第２の半割スクリーン２２に分割し、分割した後、第１の半割スクリーン２１と第２の半割スクリーン２２を液体を使用して分割されたスクリーン２を洗浄することができる。
【００１９】
従って、スクリュー脱水機の洗浄方法（スクリュー脱水機）によれば、液体による洗浄時、円筒形状のスクリーン２を第１の半割スクリーン２１と第２の半割スクリーン２２に分割し（図２の状態から図３の状態）、分割した後、第１の半割スクリーン２１と第２の半割スクリーン２２を洗浄するため、従来のスクリュー脱水機の洗浄方法に比べ、スクリーン２の内部に残存した処理物を容易に除去することができると共に、スクリーン２の内部に残存した処理物を容易に除去する分、清掃時間を短縮することができる。
【００２０】
また、スクリーン２は、支持部材４の下方に位置し、第１の半割スクリーン２１が第１の接続部材５１を介して支持部材４に吊持（吊り下げて保持する）され、第２の半割スクリーン２２が第２の接続部材５２を介して支持部材４に吊持（吊り下げて保持する）され、第１の半割スクリーン２１と第２の半割スクリーン２２の分割ラインＰが垂直となっている。
そのため、液体による洗浄時、液体と共に、スクリーン２の内部に残存した処理物が垂下して流れてスクリーン２の外へと排出される。
【符号の説明】
【００２１】
Ｓ      スクリュー脱水機
１      本体
２      スクリーン
３      スクリュー回転軸
４      支持部材
１１    投入口
１２    排出口
２１    第１の半割スクリーン
２２    第２の半割スクリーン
３１    スクリュー羽根
５１    第１の接続部材
５２    第２の接続部材
【要約】      （修正有）【課題】スクリーンの内部に残存した処理物の除去を容易にしたスクリュー脱水機の洗浄方法及びスクリュー脱水機を提供する。【解決手段】処理物の投入口と、脱水された前記処理物の排出口とを設けた本体と、投入口と排出口との間に設けられた円筒形状のスクリーンと、スクリーン内に設けられたスクリュー羽根を有したスクリュー回転軸と、スクリーンを水平方向に移動自在に支持する支持部材４とを備え、スクリーンは、第１の半割スクリーン２１と第２の半割スクリーン２２とに分割可能であり、第１の半割スクリーン２１は、第１の接続部材５１を介して支持部材４に接続され、第２の半割スクリーン２２は、第２の接続部材５２を介して支持部材４に接続され、洗浄時、円筒形状のスクリーンを第１の半割スクリーン２１と第２の半割スクリーン２２に分割し、分割後、第１の半割スクリーン２１と第２の半割スクリーン２２を液体を使用して洗浄するものである。【選択図】図３【図１】
0006736103.tif 000002
【図２】
0006736103.tif 000003
【図３】
0006736103.tif 000004
【図４】
0006736103.tif 000005